(57)【要約】【課題】保管、搬送、設置が容易で、衛生的な仮設トイレを提供する。【解決手段】地面に立設される支柱１１１ａ〜１１１ｄを有するパイプテント１１と、支柱間１１１ａと支柱１１１ｂとの間に連結部材１３１〜１３４を介して横架される横架部材１２１、１２２と、シート状物からなり、開口部１４１ａ〜１４１ｄと受部１４２ａ〜１４２ｄと排水部１４３ａ〜１４３ｄとを有する小便器ボウル１４ａ〜１４ｄと、横架部材１２１、１２２に小便器ボウル１４ａ〜１４ｄを取り付けるための取付用部材１５ａ〜１５ｄと、排水部１４３ａ〜１４３ｄより排水された水分を貯めるタンク１６ａ〜１６ｄと、一方の端部が排水部１４３ａ〜１４３ｄに接続され、他方の端部がタンク１６ａ〜１６ｄと接続され、小便器ボウル１４ａ〜１４ｄの排水部より排水された水分をタンク１６ａ〜１６ｄへと導く接続部材１７ａ〜１７ｄとを備える。【選択図】図１
2019173344.tif 000002
【特許請求の範囲】
【請求項１】
地面に立設される支柱及び屋根の骨格からなるフレーム部と、前記フレームを覆うよう設けられる外幕部とで構成されるパイプテントと、
前記支柱間に直接或いは間接的に横架される棒状物である第一横架部材と、
前記第一横架部材と略平行になるよう、前記支柱間に直接或いは間接的に横架される棒状物である第二横架部材と、
シート状物からなり、水分が注水される第一開口部と、前記第一開口部より注水された水分を排水する排水部と、前記第一開口部より注水された水分を受け、該水分を前記排水部へと誘導する受部とを有する小便器ボウルと、
前記第一横架部材及び第二横架部材に前記小便器ボウルを取り付けるための取付用部材と、
前記小便器ボウルの排水部より排水された水分を貯めるタンクと、
一方の端部が前記排水部に接続され、他方の端部が前記タンクと接続され、前記小便器ボウルの排水部より排水された水分を前記タンクへと導く接続部材と、
を備える仮設トイレ。
【請求項２】
請求項１に記載の仮設トイレであって、
前記取付用部材は、略矩形状のシート状物であって、前記第一開口部と連設される第二開口部と、対向する二辺の縁部のうち、一方に前記第一横架部材が挿通される第一取付部と、他方に前記第二横架部材が挿通される第二取付部とを有する仮設トイレ。
【請求項３】
請求項１または請求項２に記載の仮設トイレであって、さらに、
前記第二横架部材が前記第一横架部材よりも、地面側で、且つ、前記支柱から離れた位置で、前記支柱間に間接的に横架されるよう、前記第二横架部材と前記支柱とを連結する連結部材を備える仮設トイレ。
【請求項４】
請求項１〜３に記載の仮設トイレであって、
前記小便器ボウルの受部は、略中空円錐台形状であって、一方の端部は前記第一開口部であり、他方の端部は前記排水部と連設されることを特徴とする仮設トイレ。
【請求項５】
請求項１〜４のいずれか一に記載の仮設トイレであって、
前記取付用部材及び小便器ボウルは、防水性を有することを特徴とする仮設トイレ。
【請求項６】
請求項１〜５のいずれか一に記載の仮設トイレであって、さらに、
前記複数の小便器ボウル間を仕切るシート状物である内幕部
を備える仮設トイレ。
【発明の詳細な説明】
【技術分野】
【０００１】
本発明は、被災地などに設置され、保管、搬送、設置が容易で、衛生的な仮設トイレに関する。
【背景技術】
【０００２】
従来、特許文献１に示すようなボックス型の仮設トイレが知られている。この従来のボックス型の仮設トイレは、大型で、重量が重く、コンパクトにできないため、搬送及び設置が大変であるという問題があった。
【０００３】
このような問題を解決すべく、例えば特許文献２に示すような軽量かつ折り畳み可能なテント型の仮設トイレが知られている。この仮設トイレは、フレーム式のテントの側面用幕（小便用外幕）に複数溶着されたシート状の受け部と、各受け部の上縁、及び、正面に取り付けられる成形バーとで複数の小便器を構成するものである。
【０００４】
この仮設トイレによれば、成形バーを取り外すことで、小便用外幕を折り畳み、小便器が汚れた際には、小便用外幕をフレーム部から取外し、新しい小便用外幕に交換することができる。
【先行技術文献】
【特許文献】
【０００５】
【特許文献１】特開２０１１−９４４２７号公報
【特許文献２】特開２０１３−１３３６３２号公報
【発明の概要】
【発明が解決しようとする課題】
【０００６】
しかしながら、特許文献２に開示された仮設トイレでは、複数の受け部が小便用外幕に溶着されることで、複数の小便器が形成されているため、交換する際には、小便用外幕を交換しなければならず、交換作業に大変な手間がかかっていた。また、各小便器は個別に取り外して交換することができないため、こまめな交換ができず、不衛生であった。加えて、あらかじめ受け部が小便用外幕に溶着されているため、ユーザは状況に応じて、小便器の数を変更することができなかった。
【０００７】
本発明は、従来のこのような問題点に鑑みてなされたものである。本発明の目的の一は、保管、搬送、設置が容易で、小便器の数をユーザのニーズに合わせて容易に変更でき、衛生的な仮設トイレを提供することにある。
【課題を解決するための手段及び発明の効果】
【０００８】
本発明の第１の側面に係る仮設トイレによれば、地面に立設される支柱及び屋根の骨格からなるフレーム部と、前記フレームを覆うよう設けられる外幕部とで構成されるパイプテントと、前記支柱間に直接或いは間接的に横架される棒状物である第一横架部材と、前記第一横架部材と略平行になるよう、前記支柱間に直接或いは間接的に横架される棒状物である第二横架部材と、シート状物からなり、水分が注水される第一開口部と、前記第一開口部より注水された水分を排水する排水部と、前記第一開口部より注水された水分を受け、該水分を前記排水部へと誘導する受部とを有する小便器ボウルと、前記第一横架部材及び第二横架部材に前記小便器ボウルを取り付けるための取付用部材と、前記小便器ボウルの排水部より排水された水分を貯めるタンクと、一方の端部が前記排水部に接続され、他方の端部が前記タンクと接続され、前記小便器ボウルの排水部より排水された水分を前記タンクへと導く接続部材とを備えることができる。
【０００９】
前記構成によれば、仮設トイレは、パイプテント、第一横架部材、第二横架部材、小便器ボウル、取付用部材、タンク及び接続部材は分離可能であり、さらに、パイプテントは、フレーム部と外幕部とで分離可能であるので、分離することで容易に保管、搬送できる。また、パイプテントを主とした構成であるため、当然、容易に設置することができる。また、前述のとおり個別に分離可能な構成であるため、小便器ボウルの洗浄が容易であり、衛生的である。
【００１０】
本発明の第２の側面に係る仮設トイレによれば、前記取付用部材は、略矩形状のシート状物であって、前記第一開口部と連設される第二開口部と、対向する二辺の縁部のうち、一方に前記第一横架部材が挿通される第一取付部と、他方に前記第二横架部材が挿通される第二取付部とを有することができる。
【００１１】
前記構成によれば、取付用部材が、第一横架部材及び第二横架部材に挿通されて取り付ける構成であるため、第一横架部材及び第二横架部材の長さに応じて、取付用部材を複数取り付けることも可能である。すなわち、必要に応じて、小便器ボウルの数をユーザのニーズに合わせて適宜変更することが可能である。逆に、第一横架部材及び第二横架部材の長さを変更することで、部材を変更することなく、小便器ボウルの数の異なる仮設トイレを製造できるので、製造の観点からも好適であるといえる。
【００１２】
本発明の第３の側面に係る仮設トイレによれば、前記第二横架部材が前記第一横架部材よりも、地面側で、且つ、前記支柱から離れた位置で、前記支柱間に間接的に横架されるよう、前記第二横架部材と前記支柱とを連結する連結部材を備えることができる。
【００１３】
前記構成によれば、取付用部材を介して、小便器ボウルを傾斜させて取り付けることができるので、使用に適した態様にできる。また、連結部材は、例えば、トラス構造とすることで、高い強度で第二横架部材を前記支柱と連結することができる。
【００１４】
本発明の第４の側面に係る仮設トイレによれば、前記小便器ボウルの受部は、略中空円錐台形状であって、一方の端部は前記第一開口部であり、他方の端部は前記排水部と連設されることを特徴とする。
【００１５】
前記構成によれば、小便器ボウルを容易に製造することができる。
【００１６】
本発明の第５の側面に係る仮設トイレによれば、前記取付用部材及び小便器ボウルは、防水性を有する。
【００１７】
本発明の第６の側面に係る仮設トイレによれば、前記複数の小便器ボウル間を仕切るシート状物である内幕部を備えることができる。
【００１８】
以上の通り、本発明によれば、保管、搬送、設置が容易で、小便器の数をユーザのニーズに合わせて容易に変更でき、衛生的な小便器ボウル、及び、仮設トイレを得ることができる。
【図面の簡単な説明】
【００１９】
【図１】本実施の形態に係る仮設トイレの内部の模式図である。
【図２】本実施の形態に係る仮設トイレの外部の模式図である。
【図３】図３Ａは、本発明を適用した連結部材の一実施例を示した模式図、図３Ｂ、３Ｃは他の実施例を示した模式図である。
【図４】本発明を適用した小便器ボウルを示した模式図である。
【図５】図５Ａ〜図５Ｃは、小便器ボウルの製造方法の説明図である。
【図６】第一の実施例に係る取付用部材を示した模式図である。
【図７】図７Ａ〜図７Ｃは小便器ボウルと取付用部材の接合方法の説明図である。
【図８】図８Ａは第二の実施例に係る取付用部材を示した模式図であり、図８Ｂは取付用部材を横架部材に取り付けた状態を示す図である。
【図９】図９Ａは第三の実施例に係る取付用部材を示した模式図であり、図９Ｂは取付用部材を横架部材に取り付けた状態を示す図である。
【図１０】図１０Ａは第四の実施例に係る取付用部材を示した模式図であり、図１０Ｂは取付用部材を横架部材に取り付けた状態を示す図である。
【図１１】図１１Ａは第五の実施例に係る取付用部材を示した模式図であり、図１１Ｂは取付用部材を横架部材に取り付けた状態を示す図である。
【図１２】本発明を適用した接続部材の説明図であって、図１２Ａは外観図、図１２Ｂは断面図である。
【発明を実施するための形態】
【００２０】
以下、本発明の実施の形態を図面に基づいて説明する。ただし、以下に示す実施の形態は、本発明の技術思想を具体化するための仮設トイレを例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（仮設トイレ１）
【００２１】
本実施の形態に係る仮設トイレ１について、仮設トイレ１の、内部の模式図である図１及び外部の模式図である図２に基づいて説明する。
【００２２】
図１及び図２に示すように、本実施の形態に係る仮設トイレ１は、主として、パイプテント１１、横架部材１２１（特許請求の範囲における「第一横架部材」の一例に対応する。）、１２２（特許請求の範囲における「第二横架部材」の一例に対応する。）、連結部材１３１〜１３４、小便器ボウル１４ａ〜１４ｄ、取付用部材１５ａ〜１５ｄ、タンク１６ａ〜１６ｄ、接続部材１７ａ〜１７ｄ、パーティション１８ａ〜１８ｃ（特許請求の範囲における「内幕部」の一例に対応する。）で構成される。以下、各部材について詳細に説明する。
（パイプテント１１）
【００２３】
パイプテント１１は、一般的な、組立式のパイプテントであって、図１に示すように、地面に立設される４本の支柱１１１ａ〜１１１ｄと、支柱１１１ａ〜１１１ｄの上端に連設される屋根の骨格１１２ａ〜１１２ｉと、支柱１１１ａ〜１１１ｄ及び屋根の骨格１１２ａ〜１１２ｉを連結するための連結部材１１３ａ〜１１３ｆと、これらを覆うよう設けられる外幕部１１４とからなる。
【００２４】
支柱１１１ａ〜１１１ｄと屋根の骨格１１２ａ〜１１２ｉとは、円形パイプからなり、外幕部１１４は、防水性のシート状物からなる。また、接続部材１７ａ〜１７ｄのホース１７１ａ〜１７１ｄを通すためのスリット１１４ａ〜１１４ｄを有する。
【００２５】
なお、支柱の数は４本に限定されず、例えば６本や８本であってもよく、パイプテント１１の大きさによって適宜変更してよい。また、支柱及び屋根の骨格は円形パイプに限定されず、径の大きさも特に限定されない。
（横架部材１２１、１２２）
【００２６】
横架部材１２１、１２２は、共に、円形パイプである。
【００２７】
横架部材１２１は、連結部材１３１、１３２によって、支柱１１１ａと支柱１１１ｂとの間を横架するよう取り付けられる。一方、横架部材１２２は、連結部材１３３、１３４（特許請求の範囲における「連結部材」の一例に対応する。詳細は後述する。）によって、支柱１１１ａと支柱１１１ｂとの間を横架し、横架部材１２１より、地面に近く、支柱１１１ａ、１１１ｂから離れた位置に配されるよう取り付けられる。
【００２８】
これによって、取付用部材１５ａ〜１５ｄを介して取り付けられた小便器ボウル１４ａ〜１４ｄの開口部１４１ａ〜１４１ｄ（特許請求の範囲における「第一開口部」の一例に対応する。）に使用に適した傾斜を付けることができる。
【００２９】
なお、パイプの形状や、径の大きさは特に限定されないが、例えば、支柱１１１ａ〜１１１ｄ及び屋根の骨格１１２ａ〜１１２ｉと同経の円形パイプを用いてもよい。この態様は、パイプテント１１と同じ材料（パイプ）から、製造できるという点で優れている。また逆に、所望の強度に応じて、径の大きさの異なるパイプを使い分けてもよい。
（連結部材１３３、１３４）
【００３０】
連結部材１３３、１３４は、前述のとおり、開口部１４１ａ〜１４１ｄに使用に適した傾斜が付くよう、横架部材１２２を支柱１１１ａと支柱１１１ｂとの間に取り付けるための部材である。以下で詳細について説明するが、連結部材１３３、１３４は同一の部材であるため、連結部材１３４については説明を省略する。
【００３１】
連結部材１３３について、図３に基づいて説明する。連結部材１３３は、図３Ａに示すように、支柱１１１ａと略三角形状を形成する部材１３３ａ、１３３ｂと、支柱１１１ａと部材１３３ａ、１３３ｂを連結するための部材１３３ｃ〜１３３ｅの５つの部材によって構成される。また、部材１３３ｄが横架部材１２２の一端を、部材１３４ｄが横架部材１２２の他端を固設支持することで、横架部材１２２を、支柱１１１ａと支柱１１１ｂとの間を横架し、横架部材１２１より、地面に近く、支柱１１１ａ、１１１ｂから離れた位置に配されるよう取り付けることができる。
【００３２】
以上の構成から、横架部材１２２の位置は、連結部材１３３、１３４によって決定され、開口部１４１ａ〜１４１ｄの傾斜は、横架部材１２１と横架部材１２２との位置関係によって決まる。すなわち、連結部材１３３、１３４の態様、取付位置等を変更することで、開口部１４１ａ〜１４１ｄの傾斜を適宜調節することが可能である。
【００３３】
なお、連結部材１３３、１３４は前述の構成に限定されず、所望の強度や、生産コストに合わせて適宜変更してもよい。例えば、図３Ｂのように、連結部材１３１に変えて部材１３３ｃが横架部材１２１を支柱１１１ａと支柱１１１ｂとの間に取り付けるような態様であってもよい。また、図３Ｃに示すように、３つの部材１３３ａ'〜１３３ｃ'で横架部材１２２を支柱１１１ａと支柱１１１ｂとの間に取り付けるような態様であってもよい。
（小便器ボウル１４ａ〜１４ｄ）
【００３４】
小便器ボウル１４ａ〜１４ｄについて、図４に基づき説明する。なお、小便器ボウル１４ａ〜１４ｄは同一の部材であるため、小便器ボウル１４ｂ〜１４ｄについては説明を省略する。
【００３５】
小便器ボウル１４ａは、図４に示すように、開口部１４１ａ、受部１４２ａ及び排水部１４３ａを有し、取付用部材１５ａと接合するための接合部Ｊ１が開口部１４１ａに連設される。開口部１４１ａより注水された水分は、受部１４２ａで一旦、受けられた後、排水部１４３ａへと誘導されて排水される。
（小便器ボウルの製造方法）
【００３６】
ここで、小便器ボウル１４ａ〜１４ｄの製造方法について図５に基づき説明する。なお、小便器ボウル１４ａ〜１４ｄは同一の製造方法であるため、小便器ボウル１４ｂ〜１４ｄについては説明を省略する。
【００３７】
まず、市販の防水性テント用シート材を図５Ａに示す形状に裁断する。次に、図５Ｂに示すようにシート材を丸め、接合部Ｊ２及び接合部Ｊ３で縫合し、図５Ｃに示すように縫合した部分を防水テープＷＴで補強して完成する。
【００３８】
なお、接合部Ｊ２と接合部Ｊ３は縫合以外の方法で接合してもよい。例えば、高周波ウェルダー加工を用いて溶着してもよく、この場合、防水テープＷＴによる補強は不要である。また、小便器ボウルは、前述の機能を満たす範囲であれば、その形状を適宜変更してもよい。
（取付用部材の第一の実施例：取付用部材１５ａ〜１５ｄ）
【００３９】
取付用部材の第一の実施例に係る取付用部材１５ａ〜１５ｄは、横架部材１２１、１２２に小便器ボウル１４ａ〜１４ｄを取り付けるための部材である。以下で詳細について、図６に基づき説明するが、取付用部材１５ａ〜１５ｄは同一の部材であるため、取付用部材１５ｂ〜１５ｄについては説明を省略する。
【００４０】
取付用部材１５ａは、図６に示すように、矩形状に裁断された市販の防水性テント用シート材からなり、対向する二辺のうち、一方に横架部材１２１を、他方に横架部材１２２を挿通するため筒状に形成されてなる挿通部１５１ａ（特許請求の範囲における「第一取付部」の一例に対応する。）、１５２ａ（特許請求の範囲における「第二取付部」の一例に対応する。）を備える。また、取付用部材１５ａは、略中央に、挿通部１５１ａ、１５２ａを有する辺の対向方向に長軸を有する略楕円形状の開口部１５３ａ（特許請求の範囲における「第二開口部」の一例に対応する。）を有する。
【００４１】
前記構成により、取付用部材１５ａは、挿通部１５１ａに横架部材１２１を、挿通部１５２ａに横架部材１２２を挿通することで、小便器ボウル１４ａをパイプテント１１に取り付けることができる。
（小便器ボウルと取付用部材の接合方法）
【００４２】
ここで、小便器ボウル１４ａ〜１４ｄと取付用部材１５ａ〜１５ｄとを接合する方法について図７に基づき説明する。なお、以下では、小便器ボウル１４ａを取付用部材１５ａに接合する方法を説明し、小便器ボウル１４ｂ〜１４ｄを取付用部材１５ｂ〜１５ｄに接合する方法は同様であるため省略する。
【００４３】
まず、図７Ａに示すように、開口部１４１ａと開口部１５３ａとが連設し、接合部Ｊ１が取付用部材の上面に配されるよう小便器ボウル１４ａと取付用部材１５ａを組み合わせる。
【００４４】
次に、図７Ｂに示すように接合部Ｊ１を縫合し、図７Ｃに示すように縫合した部分を防水テープＷＴで補強して完成する。
【００４５】
なお、接合部Ｊ１は縫合以外の方法で接合してもよい。例えば、高周波ウェルダー加工を用いて溶着してもよく、この場合、防水テープＷＴによる補強は不要である。また、接合部Ｊ１を面ファスナーに変更してもよい。この構成であれば、取付用部材から小便器ボウルを取り外して洗浄することができるので、より衛生的である。
【００４６】
以上、特許請求の範囲における取付用部材の一例として取付用部材１５ａ〜１５ｄについて説明したが、本発明における取付用部材は取付用部材１５ａ〜１５ｄの態様に限定されるものではない。以下、他の実施例について説明する。
（取付用部材の第二の実施例：取付用部材２）
【００４７】
取付用部材の第二の実施例にかかる取付用部材２は、図８Ａに示すように、開口部２１１を有する平シート２１と、平シート２１の４つの角それぞれに取り付けられる４つの紐２２とからなる。取付用部材２は、第一の実施例と同様の方法で小便器ボウル１４ａ〜１４ｄと接合される。なお、図８Ａは、一例として、取付用部材２と小便器ボウル１４ａを接合した状態を示している。
【００４８】
前記構成により、図８Ｂに示すように、第二の実施例にかかる取付用部材２の紐２２を横架部材１２１、１２２に結ぶことで小便器ボウル１４ａをパイプテント１１に取り付けることができる。
（取付用部材の第三の実施例：取付用部材３）
【００４９】
取付用部材の第三の実施例にかかる取付用部材３は、図９Ａに示すように、小便器ボウル１４ａ〜１４ｄの各々に取り付けられる４つの紐である。この場合、小便器ボウル１４ａ〜１４ｄに接合部Ｊ１は不要である。なお、図９Ａは、一例として、取付用部材３と小便器ボウル１４ａを接合した状態を示している。
【００５０】
前記構成により、図９Ｂに示すように、第三の実施例にかかる取付用部材３を横架部材１２１、１２２に結ぶことで小便器ボウル１４ａをパイプテント１１に取り付けることができる。
（取付用部材の第四の実施例：取付用部材４）
【００５１】
取付用部材の第四の実施例にかかる取付用部材４は、図１０Ａに示すように、開口部４１１を有する平シート４１と、平シート４１の４つの角それぞれに取り付けられる４つの紐４２と、紐４２に取り付けられるＣ字型のクリップ４３とからなる。第一及び第二の実施例と同様の方法で小便器ボウル１４ａ〜１４ｄと接合される。なお、クリップ４３の形状はＣ字型に限定されない。例えば、角パイプを用いたパイプテントに適用する場合であれば、コの字型のクリップを用いることができる。また、図１０Ａは、一例として、取付用部材４と小便器ボウル１４ａを接合した状態を示している。
【００５２】
前記構成により、図１０Ｂに示すように、第四の実施例にかかる取付用部材４のクリップ４３を横架部材１２１、１２２に取り付けることで小便器ボウル１４ａをパイプテント１１に取り付けることができる。
（取付用部材の第五の実施例：取付用部材５）
【００５３】
取付用部材の第五の実施例にかかる取付用部材５は、図１１Ａに示すように、小便器ボウル１４ａ〜１４ｄの各々に取り付けられる４つの紐５１と、紐５１に取り付けられるＣ字型のクリップ５２とからなる。この場合、小便器ボウル１４ａ〜１４ｄに接合部Ｊ１は不要である。なお、クリップ５２の形状は、第四の実施例同様、Ｃ字型に限定されない。また、図１１Ａは、一例として、取付用部材５と小便器ボウル１４ａを接合した状態を示している。
【００５４】
前記構成により、図１１Ｂに示すように、第五の実施例にかかる取付用部材５のクリップ５２を横架部材１２１、１２２に取り付けることで小便器ボウル１４ａをパイプテント１１に取り付けることができる。
【００５５】
以上の構成により、取付用部材は、挿通した横架部材１２１、１２２に沿ってスライドすることができるので、小便器ボウルの横方向の位置を調整が可能である。この構成により、本発明は、小便器の数をユーザのニーズに合わせて容易に変更することが可能である。具体的に、本実施例では４つの小便器ボウル１４ａ〜１４ｄを取り付ける態様を説明しているが、例えば、各小便器ボウルの間隔を狭めるようスライド移動させ、５以上の小便器ボウルを取り付けることが可能である。逆に、各小便器ボウルの間隔を広げるようスライド移動させ、取り付ける小便器ボウルの数を減らすことも可能である。
（タンク１６ａ〜１６ｄ）
【００５６】
タンク１６ａ〜１６ｄは小便器ボウル１４ａ〜１４ｄの排水部１４３ａ〜１４３ｄから排水される水分を一時的に貯めておくための部材である。例えば、一般的なポリタンク等が利用できる。
（接続部材１７ａ〜１７ｄ）
【００５７】
接続部材１７ａ〜１７ｄは、一方の端部が排水部１４３ａ〜１４３ｄ（排水部１４３ｂ〜１４３ｄは図示していない。）に接続され、他方の端部がタンク１６ａ〜１６ｄと接続され、小便器ボウル１４ａ〜１４ｄの排水部１４３ａ〜１４３ｄから排水された水分をタンク１６ａ〜１６ｄへ導くための部材である。以下で詳細について、図１２に基づき説明するが、接続部材１７ａ〜１７ｄは同一の部材であるため、接続部材１７ｂ〜１７ｄについては説明を省略する。
【００５８】
接続部材１７ａの外観図を図１２Ａに、断面図を図１２Ｂに示す。接続部材１７ａは、一方の縁部が排水部１４３ａを覆うよう配されるホース１７１ａと、ホース１７１ａと排水部１４３ａとを固定するバンド１７２ａと、バンド１７２ａによる固定を補助する補助部材１７３ａとからなる。
（ホース１７１ａ）
【００５９】
ホース１７１ａは、排水部１４３ａから排水された水分をタンク１６ａへ送るための部材である。
【００６０】
ホース１７１ａは、排水部１４３ａよりやや口径の大きな市販のホースである。ホース１７１ａの一方の縁部は、バンド１７２ａによって、排水部１４３ａに固定され、他方の端部は、外幕部１１４に設けられたスリット１１４ａを貫通し、テント外部に設置されたタンク１６ａと接続される。
（バンド１７２ａ）
【００６１】
バンド１７２ａは、ホース１７１ａと排水部１４３ａとを固定するための固定部材である。バンド１７２ａは、例えば、ゴム製の紐などである。なお、バンド１７２ａは、ホース１７１ａと排水部１４３ａとを固定できるようなその他の固定部材に置き換えることができる。
（補助部材１７３ａ）
【００６２】
補助部材１７３ａは、ホース１７１ａと排水部１４３ａとの固定を容易にするための部材である。
【００６３】
補助部材１７３ａは、図１２Ｂに示すように、円筒形状の部材である。補助部材１７３ａは、樹脂、金属等、ホース１７１ａを排水部１４３ａに固定する際に変形しない程度の硬度を有するものであればよい。また、形状も前述のものに限定されず、例えば、上部にフランジを設けることで、小便器ボウル１４ａの受部１４２ａに引っ掛かって支持されるような態様としてもよい。
（パーティション１８ａ〜１８ｃ）
【００６４】
パーティション１８ａ〜１８ｃは、各小便器ボウル間に設置され、空間を仕切り、プライベート空間を作るための部材である。
【００６５】
図１に示すようにパーティション１８ａ〜１８ｃは、空間を仕切る仕切布１８１ａ〜１８１ｃと、屋根の骨格１１２ｇ、１１２ｉに取り付けるための仕切布取付部１８２からなる。
【００６６】
仕切布１８１ａ〜１８１ｃは、例えば、一般的なトイレに設置されるパーティション板サイズに裁断された防水性テント用シートである。仕切布取付部１８２は、例えば、支柱１１１ａ〜１１１ｄと同じパイプや、一端が仕切布１８１ａ〜１８１ｃに縫い付けられた紐などである。
【００６７】
前記構成により、パーティション１８ａ〜１８ｃは、着脱し易く、容易に洗浄できるため、衛生的である。なお、パーティション１８ａ〜１８ｃは、プラスチックなどの板でもよく、ネジなどでパイプに固定してもよい。
（仮設トイレ１の組立方法）
【００６８】
まず、一般的なテントを組み立てる要領で、パイプテント１１を組み立て、連結部材１３１〜１３４を用いて横架部材１２１、１２２を支柱１１１ａ、１１１ｂに取り付ける。
【００６９】
次に、小便器ボウル１４ａ〜１４ｄが接合された取付用部材１５ａ〜１５ｄの挿通部１５１ａ〜１５１ｄ、１５２ａ〜１５２ｄに横架部材１２１、１２２を挿通することで、小便器ボウル１４ａ〜１４ｄを取り付ける。
次いで、小便器ボウル１４ａ〜１４ｄの排水部１４３ａ〜１４３ｄに接続部材１７ａ〜１７ｄを接続する。
【００７０】
次いで、接続部材１７ａ〜１７ｄのホース１７１ａ〜１７１ｄをスリット１１４ａ〜１１４ｄに通し、タンク１６ａ〜１６ｄへと接続する。
【００７１】
最後に、仕切布取付部１８２を屋根の骨格１１２ｇ、１１２ｉに取り付け、取り付けられた仕切布取付部１８２に仕切布１８１ａ〜１８１ｃが取り付けることで仮設トイレ１の組立が完了する。
【００７２】
以上説明したように、本発明に係る仮設トイレは、保管、搬送、設置が容易で、小便器の数をユーザのニーズに合わせて容易に変更でき、衛生的な小便器ボウル、及び、仮設トイレを得ることができる。
【００７３】
また、本発明は、一般的なパイプテントに、小便器ボウル及び小便器ボウルをパイプテントに取り付けるための諸部材を適用することもできる。すなわち、災害発生時に避難場所として指定される学校等が予め所有しているパイプテントに適用することも可能である。
【産業上の利用可能性】
【００７４】
本発明に係る仮設トイレは、被災地などで、長時間屋外に設置される仮設トイレの用途に使用できる。
【符号の説明】
【００７５】
１…仮設トイレ
１１…パイプテント
１１１ａ〜１１１ｄ…支柱；１１２ａ〜１１２ｉ…屋根の骨格；１１３ａ〜１１３ｆ…連結部材；１１４…外幕部；１１４ａ〜１１４ｄ…スリット
１２１、１２２…横架部材
１３１〜１３４…連結部材
１３３ａ〜１３３ｅ、１３４ａ〜１３４ｅ…部材
１４ａ〜１４ｄ…小便器ボウル
１４１ａ〜１４１ｄ…開口部；１４２ａ…受部；１４３ａ〜１４３ｄ…排水部
１５ａ〜１５ｄ…取付用部材
１５１ａ〜１５１ｄ、１５２ａ〜１５２ｄ…挿通部；１５３ａ…開口部
１６ａ〜１６ｄ…タンク
１７ａ〜１７ｄ…接続部材
１７１ａ〜１７１ｄ…ホース；１７２ａ…バンド；１７３ａ…補助部材
１８ａ〜１８ｃ…パーティション
１８１ａ〜１８１ｃ…仕切布；１８２…仕切布取付部
２…取付用部材
２１…平シート
２１１…開口部
２２…紐
３…取付用部材
４…取付用部材
４１…平シート
４１１…開口部
４２…紐
４３…クリップ
５…取付用部材
５１…紐
５２…クリップ
Ｊ１〜Ｊ３…接合部
ＷＴ…防水テープ
【図１】
2019173344.tif 000003
【図２】
2019173344.tif 000004
【図３】
2019173344.tif 000005
【図４】
2019173344.tif 000006
【図５】
2019173344.tif 000007
【図６】
2019173344.tif 000008
【図７】
2019173344.tif 000009
【図８】
2019173344.tif 000010
【図９】
2019173344.tif 000011
【図１０】
2019173344.tif 000012
【図１１】
2019173344.tif 000013
【図１２】
2019173344.tif 000014
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
地面に立設される支柱及び屋根の骨格からなるフレーム部と、前記フレーム部を覆うよう設けられる外幕部とで構成されるパイプテントと、
前記支柱間に直接或いは間接的に横架される棒状物である第一横架部材と、
前記第一横架部材と略平行になるよう、前記支柱間に横架される棒状物である第二横架部材と、
前記第二横架部材が前記第一横架部材よりも、地面側で、且つ、前記支柱から離れた位置で、前記支柱間に間接的に横架されるよう、前記第二横架部材と前記支柱とを連結する連結部材と、
シート状物からなり、水分が注水される第一開口部と、前記第一開口部より注水された水分を排水する排水部と、前記第一開口部より注水された水分を受け、該水分を前記排水部へと誘導する受部とを有する小便器ボウルと、
前記第一横架部材及び第二横架部材に前記小便器ボウルを取り付けるための取付用部材と、
前記小便器ボウルの排水部より排水された水分を貯めるタンクと、
一方の端部が前記排水部に接続され、他方の端部が前記タンクと接続され、前記小便器ボウルの排水部より排水された水分を前記タンクへと導く接続部材と、
を備える仮設トイレ。
【請求項２】
請求項１に記載の仮設トイレであって、
前記取付用部材は、略矩形状のシート状物であって、前記第一開口部と連設される第二開口部と、対向する二辺の縁部のうち、一方に前記第一横架部材が挿通される第一取付部と、他方に前記第二横架部材が挿通される第二取付部とを有する仮設トイレ。
【請求項３】
請求項１又は２に記載の仮設トイレであって、
前記小便器ボウルの受部は、略中空円錐台形状であって、一方の端部は前記第一開口部であり、他方の端部は前記排水部と連設されることを特徴とする仮設トイレ。
【請求項４】
請求項１〜３のいずれか一に記載の仮設トイレであって、
前記取付用部材及び小便器ボウルは、防水性を有することを特徴とする仮設トイレ。
【請求項５】
請求項１〜４のいずれか一に記載の仮設トイレであって、さらに、
前記複数の小便器ボウル間を仕切るシート状物である内幕部
を備える仮設トイレ。
【手続補正２】
【補正対象書類名】明細書
【補正対象項目名】０００８
【補正方法】変更
【補正の内容】
【０００８】
本発明の第１の側面に係る仮設トイレによれば、地面に立設される支柱及び屋根の骨格からなるフレーム部と、前記フレーム部を覆うよう設けられる外幕部とで構成されるパイプテントと、前記支柱間に直接或いは間接的に横架される棒状物である第一横架部材と、前記第一横架部材と略平行になるよう、前記支柱間に直接或いは間接的に横架される棒状物である第二横架部材と、シート状物からなり、水分が注水される第一開口部と、前記第一開口部より注水された水分を排水する排水部と、前記第一開口部より注水された水分を受け、該水分を前記排水部へと誘導する受部とを有する小便器ボウルと、前記第一横架部材及び第二横架部材に前記小便器ボウルを取り付けるための取付用部材と、前記小便器ボウルの排水部より排水された水分を貯めるタンクと、一方の端部が前記排水部に接続され、他方の端部が前記タンクと接続され、前記小便器ボウルの排水部より排水された水分を前記タンクへと導く接続部材とを備えることができる。